(57)【要約】【課題】落下による衝撃力がケーシングに作用した場合においても、表示部の破損を抑制することのできる遠隔操作装置を提供する。【解決手段】操作パネル３１の外周側を囲むように設けられ、角部３２を介して隣り合う上部壁３３、左側部壁３４、右側部壁３５及び下部壁３６を有するケーシング２０を備え、上部壁３３の周方向両側には、上部壁３３の外周側の表面よりも外周側に突出する突出部３３ａを形成している。【選択図】図２
2020017789.tif 000002
【特許請求の範囲】
【請求項１】
情報を表示する表示部が取り付けられる表示部取付面の外周側を囲むように設けられ、角部を介して隣り合う３以上の外周壁を有するケーシングを備えた遠隔操作装置であって、
少なくとも１つの外周壁の周方向両側には、外周壁の外周側の表面から突出する突出部が形成されている
遠隔操作装置。
【請求項２】
突出部は、表示部取付面における表示部の取り付け位置に近接する外周壁に形成されている
請求項１に記載の遠隔操作装置。
【請求項３】
突出部は、所定の方向に延びる複数のリブである
請求項１または２に記載の遠隔操作装置。
【発明の詳細な説明】
【技術分野】
【０００１】
本発明は、例えば、クレーン装置を遠隔操作するための遠隔操作装置に関するものである。
【背景技術】
【０００２】
従来、この種の遠隔操作装置としては、オペレータが操作する押ボタンやレバースイッチ等が設けられた操作パネルの外周側を囲むように設けられ、角部を介して隣り合う３以上の外周壁を有するケーシングを備えたものが知られている（例えば、特許文献１参照）。
【０００３】
前記遠隔操作装置では、情報を表示するＬＣＤ（Ｌｉｑｕｉｄ  Ｃｒｙｓｔａｌ  Ｄｉｓｐｌａｙ）パネル等の表示部が操作パネルに設けられているものがある。
【先行技術文献】
【特許文献】
【０００４】
【特許文献１】特開２０１７−３０９２４号公報
【発明の概要】
【発明が解決しようとする課題】
【０００５】
前記遠隔操作装置では、オペレータが片手で把持しながら押ボタンやレバースイッチ等の操作を行う。オペレータは、把持している遠隔操作装置を誤って落下させる場合がある。遠隔操作装置は、落下して外周壁が地面に接触すると、外周壁が落下の衝撃力によって変形し、変形した外周壁から表示部に衝撃力が伝わって、表示部が破損する可能性がある。
【０００６】
本発明の目的とするところは、落下による衝撃力がケーシングに作用した場合においても、表示部の破損を抑制することのできる遠隔操作装置を提供することにある。
【課題を解決するための手段】
【０００７】
本発明の遠隔操作装置は、前記目的を達成するために、情報を表示する表示部が取り付けられる表示部取付面の外周側を囲むように設けられ、角部を介して隣り合う３以上の外周壁を有するケーシングを備えた遠隔操作装置であって、少なくとも１つの外周壁の周方向両側には、外周壁の外周側の表面から突出する突出部が形成されている。
【０００８】
これにより、オペレータが誤って遠隔操作装置を落下させ、外周壁が地面に衝突する場合に、外周壁の周方向両側の突出部のみが地面に接触することから、衝撃力が突出部を介して隣り合う外周壁に伝達され、外周壁の変形が抑制される。
【発明の効果】
【０００９】
本発明によれば、突出部が形成された外周壁が地面に衝突する場合に、突出部を介して隣り合う外周壁に衝撃力を伝達させ、突出部が形成された外周壁の変形を抑制することが可能となるので、突出部が形成された外周壁から表示部への衝撃力の伝達を防止することが可能となり、表示部の破損を抑制することが可能となる。
【図面の簡単な説明】
【００１０】
【図１】本発明の一実施形態を示すクレーン装置の正面図である。
【図２】遠隔操作装置の正面図である。
【図３】遠隔操作装置を上方から見た図である。
【図４】ケーシングの斜視図である。
【発明を実施するための形態】
【００１１】
図１乃至図４は、本発明の一実施形態を示すものである。
【００１２】
本発明の遠隔操作装置は、車両に搭載されるクレーン装置１に用いられるものである。
【００１３】
クレーン装置１は、乗員が搭乗するキャブの後方に荷台が設けられたトラック車両において、キャブと荷台との間に搭載されるものである。
【００１４】
クレーン装置１は、図１に示すように、車両のシャシフレーム上に固定される基台２と、基台２の左右両側に設けられたアウトリガ３と、基台２の上面に旋回自在に設けられた旋回台４と、旋回台４に対して起伏自在に設けられたブーム５と、ブーム５の先端部から垂下されるワイヤロープ６と、旋回台４に設けられ、ワイヤロープ６を巻き回すウインチ７と、を備えている。アウトリガ３は、車両の幅方向の張出及び格納を手動で行い、垂直方向の張出及び格納を図示しないジャッキシリンダによって行う。また、旋回台４は、図示しない旋回シリンダによって旋回動作を行う。また、ブーム５は、起伏シリンダによって起伏動作を行い、伸縮シリンダによって伸縮動作を行う。また、ウインチ７は、ウインチモータによって回転動作を行う。ジャッキシリンダ、旋回シリンダ、起伏シリンダ、伸縮シリンダ及びウインチモータは、油圧ポンプから吐出された作動油によって駆動する。
【００１５】
また、クレーン装置１は、ジャッキシリンダ、旋回シリンダ、起伏シリンダ、伸縮シリンダ及びウインチモータの動作を制御するためのコントローラを備えている。コントローラは、遠隔操作装置と無線通信を行うための無線通信部を備えている。
【００１６】
遠隔操作装置１０は、オペレータが一方の手で把持しながら、一方または他方の手の指、または、両方の手の指でクレーン装置１の操作に関する入力を行うためのものである。遠隔操作装置１０は、片手で把持することが可能な大きさのケーシング２０を備えている。ケーシング２０の内部には、クレーン装置１を遠隔操作するための制御を行うための遠隔操作コントローラ、クレーン装置１と無線通信を行うための無線通信部、クレーン装置１の動作状態をオペレータに報知するための後述する表示部等の電子部品が取り付けられている。
【００１７】
ケーシング２０は、合成樹脂材料からなり、図２に示すように、正面から見て四角形状の箱型に形成された本体部３０と、本体部３０の下面から下方に延びる円筒状の把持部４０と、を有している。
【００１８】
本体部３０の正面には、クレーン装置１の操作に関する入力を行うための表示部取付面としての操作パネル３１が設けられている。操作パネル３１には、上部側の幅方向中央部に設けられ、クレーン装置１の状態等の情報を表示するための表示部３１ａと、表示部３１ａの右方に設けられた電源スイッチ３１ｂと、表示部の左方に設けられたホーンスイッチ３１ｃと、表示部３１ａの下方に設けられた４つの設定スイッチ３１ｄ１，３１ｄ２，３１ｄ３，３１ｄ４（以降、３１ｄ１〜４と表記する）と、４つの設定スイッチ３１ｄ１〜４の下方に設けられた４つのレバースイッチ３１ｅ１，３１ｅ２，３１ｅ３，３１ｅ４（以降、３１ｅ１〜４と表記する）と、を有している。４つのレバースイッチ３１ｅ１〜４は、中立位置から上方及び下方に傾倒操作を行うものである。４つのレバースイッチ３１ｅ１〜４は、左側から右側に向かって順に、旋回台４の旋回操作を入力するための旋回レバースイッチ３１ｅ１、ブーム５の起伏操作を入力するためのブーム起伏レバースイッチ３１ｅ２、ワイヤロープ６の繰り出し及び巻き取り操作を入力するためのウインチレバースイッチ３１ｅ３、ブーム５の伸縮操作を入力するためのブーム伸縮レバースイッチ３１ｅ４である。
【００１９】
本体部３０は、操作パネル３１を囲むように設けられ、角部３２を介して隣り合う外周壁として、上部壁３３、左側部壁３４、右側部壁３５及び下部壁３６を有している。上部壁３３、左側部壁３４、右側部壁３５及び下部壁３６は、それぞれ周方向の中央部が外側に張り出すように湾曲している。操作パネル３１における表示部３１ａの取り付け位置に近接する上部壁３３の幅方向両側には、それぞれ外周側の表面から上方に突出する突出部３３ａが形成されている。突出部３３ａは、上部壁の外周側の表面から前後方向に延びるとともに上方に突出する複数のリブ３３ａ１からなる。突出部３３ａは、上部壁３３の幅方向中央部の外周側の表面よりも上方に突出している。
【００２０】
また、本体部３０は、図３に示すように、正面側部材３０ａと背面側部材３０ｂとからなり、正面側部材３０ａと背面側部材３０ｂとが互いにねじ止めされている。また、正面側部材３０ａ及び背面側部材３０ｂにおけるねじが取り付けられる部分であるねじ取付部３０ａ１，３０ｂ１は、図４に示すように、本体部３０の内周側に張り出している。正面側部材３０ａ及び背面側部材３０ｂは、それぞれ樹脂材料の射出成形によって形成されており、それぞれ、型からの抜き方向が本体部３０の前後方向となる。即ち、突出部３３ａを構成する複数のリブ３３ａ１は、図３に示すように、型からの抜き方向に延びている。
【００２１】
表示部３１ａは、例えば、ＬＣＤ（Ｌｉｑｕｉｄ  Ｃｒｙｓｔａｌ  Ｄｉｓｐｌａｙ）パネルからなり、図４に示すように、正面側部材３０ａの表示部用開口３０ａ２の内側に取り付けられる。本体部３０内において表示部用開口３０ａ２の幅方向中央部の上方には、ねじ取付部３０ａ１，３０ｂ１が位置しており、表示部３１ａがねじ取付部３０ａ１に隣接した位置に配置される。
【００２２】
以上のように構成された遠隔操作装置１０において、オペレータは、クレーン装置１の操作のために、一方の手で把持部４０を把持した状態で、一方または他方の手の指、または、両方の手の指で操作パネル３１に設けられた各スイッチを操作する。
【００２３】
また、オペレータが遠隔操作装置１０を把持しながら操作している状態で、オペレータが誤って遠隔操作装置１０を落下させる場合がある。この場合に、遠隔操作装置１０は、重心が上部側に位置しているため、本体部３０の上部壁３３を下方に向けて落下する。
【００２４】
遠隔操作装置１０が平坦な地面に向かって落下した場合に、遠隔操作装置１０は、本体部３０の上部壁３３が地面に衝突する。このとき、本体部３０の上部壁３３の幅方向両側には、突出部３３ａが形成されているので、上部壁３３の幅方向中央部が地面に接触することなく、一対の突出部３３ａの一方又は両方が地面に接触する。
【００２５】
遠隔操作装置１０が落下して地面に衝突したときの衝撃力は、上部壁３３の幅方向両側に位置する一対の突出部３３ａの一方または両方に入力され、突出部３３ａから本体部３０の左側部壁３４及び右側部壁３５の一方または両方に伝達される。これにより、遠隔操作装置１０が落下して地面に衝突したときの衝撃力は、上部壁３３の幅方向中央部に入力されることがない。したがって、上部壁３３の内周側への変形が抑制されるので、上部壁３３の内面に形成されたねじ取付部３０ａ１が、表示部３１ａに接触する状態を防止することが可能となる。
【００２６】
このように、本実施形態の遠隔操作装置によれば、操作パネル３１の外周側を囲むように設けられ、角部３２を介して隣り合う上部壁３３、左側部壁３４、右側部壁３５及び下部壁３６を有するケーシング２０を備え、上部壁３３の周方向両側には、上部壁３３の外周側の表面よりも外周側に突出する突出部３３ａを形成している。
【００２７】
これにより、突出部３３ａが形成された上部壁３３が地面に衝突する場合に、突出部３３ａを介して隣り合う左側部壁３４及び右側部壁３５の一方または両方に衝撃力を伝達させ、突出部３３ａが形成された上部壁３３の変形を抑制することが可能となるので、突出部３３ａが形成された上部壁３３から表示部３１ａへの衝撃力の伝達を防止することが可能となり、表示部３１ａの破損を抑制することが可能となる。
【００２８】
また、突出部３３ａは、操作パネル３１における表示部３１ａの取り付け位置に近接する上部壁３３に形成されている。
【００２９】
これにより、表示部３１ａに近接する上部壁３３に突出部３３ａを形成することで、上部壁３３から表示部３１ａへの衝撃力の伝達を確実に防止することができるので、操作パネル３１における表示部３１ａの位置を自由に配置することが可能となる。
【００３０】
また、突出部３３ａは、操作パネル３１に直交する方向に延びる複数のリブ３３ａ１である。
【００３１】
これにより、ケーシング２０を樹脂材料の射出成型によって形成する場合に、突出部３３ａを形成する際にヒケ等の変形の発生を防止することが可能となる。
【００３２】
尚、前記実施形態では、正面から見て四角形の箱状に形成された本体部３０の上部壁３３の幅方向両側に上方に突出する突出部３３ａを形成したものを示したが、これに限られるものではない。例えば、表示部３１ａが操作パネル３１における左側部壁３４または右側部壁３５に隣接している場合には、左側部壁３４または右側部壁３５の上下方向両側に突出部を形成してもよい。
【００３３】
また、前記実施形態では、正面から見て四角形の箱状に形成された本体部３０に突出部３３ａを形成したものを示したが、これに限られるものではない。角部３２を介して隣り合う複数の面を有する箱状に形成されたものであれば、三角形状や五角形状の箱状に形成された本体部であっても本発明を適用可能である。
【符号の説明】
【００３４】
１０…遠隔操作装置、２０…ケーシング、３０…本体部、３１…操作パネル、３１ａ…表示部、３２…角部、３３…上部壁、３３ａ…突出部、３３ａ１…リブ、３４…左側部壁、３５…右側部壁、３６…下部壁。
【図１】
2020017789.tif 000003
【図２】
2020017789.tif 000004
【図３】
2020017789.tif 000005
【図４】
2020017789.tif 000006